(57)【要約】【課題】ユーザの利便性が向上することのできる楽譜表示方法、楽譜表示装置、楽譜表示プログラムを実現することを目的とする。【解決手段】楽譜表示方法であって、時間軸情報生成部により、楽曲を表す楽曲データに基づいて、前記楽曲に対応する楽譜を表す楽譜データに基づいて表示部に表示される楽譜における反復部分を展開した実際の演奏に応じた第１の時間軸を表す第１の時間軸情報を生成し、指定位置情報取得部により、ユーザの指定に応じて、前記楽譜データに基づいて表示部に表示される楽譜における所定の位置を表す指定位置情報を取得し、表示制御部により、前記楽曲データと前記楽譜データとが関連付けられた参照データ及び前記指定位置情報に基づいて、前記第１の時間軸情報の対応する位置に所定のマークを表示させる、ことを特徴とする。【選択図】図６
2017181726.tif 000002
【特許請求の範囲】
【請求項１】
時間軸情報生成部により、楽曲を表す楽曲データに基づいて、前記楽曲に対応する楽譜を表す楽譜データに基づいて表示部に表示される楽譜における反復部分を展開した実際の演奏に応じた第１の時間軸を表す第１の時間軸情報を生成し、
指定位置情報取得部により、ユーザの指定に応じて、前記楽譜データに基づいて表示部に表示される楽譜における所定の位置を表す指定位置情報を取得し、
表示制御部により、前記楽曲データと前記楽譜データとが関連付けられた参照データ及び前記指定位置情報に基づいて、前記第１の時間軸情報の対応する位置に所定のマークを表示させる、
ことを特徴とする楽譜表示方法。
【請求項２】
前記楽譜表示方法は、更に、
第２の時間軸情報生成部により、前記楽譜データに基づいて、前記楽譜に含まれる反復記号を展開しない前記楽譜自体に応じた時間軸を表示する第２の時間軸情報を生成し、
表示制御部により、前記楽譜データ及び前記指定位置情報に基づいて、前記第２の時間軸情報の対応する位置にマークを表示させる、
ことを特徴とする請求項１記載の楽譜表示方法。
【請求項３】
前記楽譜表示方法は、更に、表示制御部により、前記第１の時間軸情報または第２の時間軸情報を表示させることを特徴とする請求項２に記載の楽譜表示方法。
【請求項４】
前記表示制御部は、前記楽譜を閲覧する閲覧モードの場合には、前記第２の時間軸情報を表示させ、前記楽譜が表す演奏の進行に応じて前記楽譜を表示する楽譜追従モードの場合には、前記第１の時間軸情報を表示させる、
ことを特徴とする請求項２記載の楽譜表示方法。
【請求項５】
楽曲を表す楽曲データに基づいて、前記楽曲に対応する楽譜を表す楽譜データに基づいて表示される楽譜における反復部分を展開した実際の演奏に応じた第１の時間軸を表す第１の時間軸情報を生成する時間軸情報生成部と、
前記楽譜データに基づいて楽譜を表示する表示部と、
ユーザの指定に応じて、前記表示部に表示される楽譜における所定の位置を表す指定位置情報を取得する指定位置情報取得部と、
前記楽曲データと前記楽譜データとが関連付けられた参照データ及び前記指定位置情報に基づいて、前記第１の時間軸情報の対応する位置に所定のマークを表示させる表示制御部と、
を有することを特徴とする楽譜表示装置。
【請求項６】
楽曲を表す楽曲データに基づいて、前記楽曲に対応する楽譜を表す楽譜データに基づいて表示される楽譜における反復部分を展開した実際の演奏に応じた第１の時間軸を表す第１の時間軸情報を生成する時間軸情報生成部、
前記楽譜データに基づいて楽譜を表示する表示部、
ユーザの指定に応じて、前記表示部に表示される楽譜における所定の位置を表す指定位置情報を取得する指定位置情報取得部、
前記楽曲データと前記楽譜データとが関連付けられた参照データ及び前記指定位置情報に基づいて、前記第１の時間軸情報の対応する位置に所定のマークを表示させる表示制御部と、
としてコンピュータを機能させることを特徴とする楽譜表示プログラム。
【発明の詳細な説明】
【技術分野】
【０００１】
本発明は、楽譜表示方法、楽譜表示装置、楽譜表示プログラムに関する。
【背景技術】
【０００２】
例えば、楽譜を表示部に表示しておき、当該楽譜に対応した楽曲の再生等に応じて当該楽譜の表示を自動的に更新する楽譜表示装置が知られている（下記特許文献１参照）。
【先行技術文献】
【特許文献】
【０００３】
【特許文献１】特開２０１３−６８８９９号公報
【発明の概要】
【発明が解決しようとする課題】
【０００４】
ここで、例えば、楽譜の表示に加えて、楽譜が反復記号を含む場合において、当該反復記号を展開した、楽譜を実際の演奏した場合の楽曲全体の長さを表す時間軸と現在の再生位置を表示することにより、ユーザが現在の再生位置を知ることができるように構成することが考えられる。この場合、例えば、楽譜においてユーザが繰り返し聞きたい位置などの特定の位置を指定した場合において、楽曲全体を表す時間軸においても当該指定された位置に対応する位置がマーク等を用いて表示されると、ユーザは楽譜上で指定した位置を全体の時間軸の中で把握できる等、ユーザの利便性が向上する。
【０００５】
そこで、本発明は、上記のようにユーザの利便性を向上することのできる楽譜表示方法、楽譜表示装置、楽譜表示プログラムを実現することを目的とする。
【課題を解決するための手段】
【０００６】
本発明の楽譜表示方法は、時間軸情報生成部により、楽曲を表す楽曲データに基づいて、前記楽曲に対応する楽譜を表す楽譜データに基づいて表示部に表示される楽譜における反復部分を展開した実際の演奏に応じた第１の時間軸を表す第１の時間軸情報を生成し、指定位置情報取得部により、ユーザの指定に応じて、前記楽譜データに基づいて表示部に表示される楽譜における所定の位置を表す指定位置情報を取得し、表示制御部により、前記楽曲データと前記楽譜データとが関連付けられた参照データ及び前記指定位置情報に基づいて、前記第１の時間軸情報の対応する位置に所定のマークを表示させる、ことを特徴とする。
【０００７】
本発明の楽譜表示装置は、楽曲を表す楽曲データに基づいて、前記楽曲に対応する楽譜を表す楽譜データに基づいて表示される楽譜における反復部分を展開した実際の演奏に応じた第１の時間軸を表す第１の時間軸情報を生成する時間軸情報生成部と、前記楽譜データに基づいて楽譜を表示する表示部と、ユーザの指定に応じて、前記表示部に表示される楽譜における所定の位置を表す指定位置情報を取得する指定位置情報取得部と、前記楽曲データと前記楽譜データとが関連付けられた参照データ及び前記指定位置情報に基づいて、前記第１の時間軸情報の対応する位置に所定のマークを表示させる表示制御部と、を有することを特徴とする。
【０００８】
本発明の楽譜表示プログラムは、楽曲を表す楽曲データに基づいて、前記楽曲に対応する楽譜を表す楽譜データに基づいて表示される楽譜における反復部分を展開した実際の演奏に応じた第１の時間軸を表す第１の時間軸情報を生成する時間軸情報生成部、前記楽譜データに基づいて楽譜を表示する表示部、ユーザの指定に応じて、前記表示部に表示される楽譜における所定の位置を表す指定位置情報を取得する指定位置情報取得部、前記楽曲データと前記楽譜データとが関連付けられた参照データ及び前記指定位置情報に基づいて、前記第１の時間軸情報の対応する位置に所定のマークを表示させる表示制御部、としてコンピュータを機能させることを特徴とする。
【図面の簡単な説明】
【０００９】
【図１】本発明の実施の形態における表示制御装置の一例を示す図である。
【図２】表示制御装置のハードウェア構成の一例を示す図である。
【図３】図２に示す制御部の機能的構成の概要の一例を示す図である。
【図４】楽譜追従モードにおける表示画面の一例を示す図である。
【図５】楽譜閲覧モードにおける表示画面の一例を示す図である。
【図６】第１または第２の時間軸情報にマーク位置情報を表示する際における処理のフローの一例を示す図である。
【発明を実施するための形態】
【００１０】
図１は、本発明の実施の形態における楽譜表示装置の一例を示す図である。当該楽譜表示装置１００は、表示部１０１（タッチパネル）を有する。そして、表示部１０１に、例えば、ユーザが指等により接触操作（以下、「タッチ」という。）をすることにより、楽譜表示装置１００に情報を入力することができる。具体的には、当該楽譜表示装置１００は、ＰＤＡ（Personal Digital Assistance）や携帯端末などのモバイル用電子機器に相当する。なお、当該表示部１０１の方式としては、例えば、タッチされた部分の容量変化を検出する静電容量結合方式、抵抗値変化を検出する抵抗膜方式、または、タッチにより遮蔽された部分の光量変化を検出する光センサ方式等を用いる。
【００１１】
図２は、楽譜表示装置１００のハードウェア構成の概要の一例について説明するための図である。図２に示すように、楽譜表示装置１００は、制御部２０１、記憶部２０２、操作部２０３、表示部１０１、通信部２０４を含む。なお、各部２０１乃至２０４及び表示部１０１は内部バスにより互いに、接続される。
【００１２】
制御部２０１は、例えば、ＣＰＵであって、記憶部２０２に格納されたプログラムに従って動作する。記憶部２０２は、例えば、ＲＯＭやＲＡＭ、ハードディスク等の情報記録媒体で構成され、制御部２０１によって実行されるプログラムを保持する情報記録媒体である。また、記憶部２０２は、制御部２０１のワークメモリとしても動作する。
【００１３】
なお、当該プログラムは、例えば、ネットワークを介して、ダウンロードされて提供されてもよいし、または、ＣＤ−ＲＯＭやＤＶＤ−ＲＯＭ等のコンピュータで読み取り可能な各種の情報記録媒体によって提供されてもよい。
【００１４】
操作部２０３は、例えば、後述する表示部１０１と一体として、いわゆるタッチパネルとして構成され、ユーザの指示操作に応じて、当該指示操作の内容を制御部２０１に出力する。表示部１０１は、例えば、液晶ディスプレイ、有機ＥＬディスプレイ等であって、制御部２０１からの指示に従い、情報を表示する。通信部２０５は、外部の装置と通信し、例えば、後述する各種データ等を取得する。
【００１５】
なお、図２においては、操作部２０３と表示部１０１とを別々に示すが、例えば、図１に示すように、操作部２０３と表示部１０１がタッチパネルとして一体的に形成される。また、本実施の形態において、タッチパネル以外の操作部２０３として、例えば、ボタン等を有するように構成してもよい。また、後述するように、楽譜表示装置１００は、カメラ等を有するように構成してもよい。
【００１６】
次に、図３を用いて、図２に示す制御部の機能的構成の概要の一例について説明する。データ取得部３０１は、例えば、楽譜データ、楽曲データ及び参照データを取得する。ここで、楽譜データとは、例えば、楽譜を表す画像データやＭｕｓｉｃＸＭＬデータである。楽曲データとは、例えば、ＭＩＤＩデータ、ａｕｄｉｏデータ、動画データである。参照データとは、例えば、ある楽曲に対応する楽譜データと楽曲データとを関連付けたデータであって、少なくとも楽譜データが示す楽譜の位置情報と楽曲データが示す再生位置情報（時間情報）が関連付けられているデータである。なお、楽譜データが画像データである場合は、データ取得部３０１が、楽譜を表す画像データから音符等の各記号を画像認識することにより、楽曲データや参照データを生成してもよい。また、この場合、本実施の形態における楽譜表示装置１００は、カメラを有し、楽譜を撮影することにより楽譜の画像データを取得するように構成してもよい。また、楽譜データがＭｕｓｉｃＸＭＬデータである場合は、データ取得部３０１が、当該ＭｕｓｉｃＸＭＬデータに基づいて楽曲データや参照データを生成してもよい。
【００１７】
第１の時間軸情報生成部３０２は、楽曲データに基づいて、第１の時間軸情報を生成する。ここで、第１の時間軸情報とは、楽譜に含まれる反復記号に基づいて反復される反復部分を展開した実際の演奏に応じた時間軸を表示する情報に相当する。例えば、第１の時間軸情報は、図４に示すように、棒状であって、楽譜の下等に表示される。なお、図４に示した第１の時間軸情報の形状、サイズ、表示位置等は例示であって、例えば、円形状等その他の形状やサイズ、表示位置等であってもよい。
【００１８】
第２の時間軸情報生成部３０３は、楽譜データに基づいて、第２の時間軸情報を生成する。ここで、第２の時間軸情報とは、楽譜に含まれる反復記号を展開しない楽譜自体に応じた時間軸を表示する情報に相当する。言い換えれば、楽譜の長さ自体に応じた軸を表示する情報に相当する。例えば、第２の時間軸情報は、図５に示すように、棒状であって、楽譜の下方等に表示される。なお、図５に示した第２の時間軸情報の形状、サイズ、表示位置等は例示であって、例えば、円形状等その他の形状、サイズ、表示位置等であってもよい。
【００１９】
モード判定部３０４は、楽譜追従モードか、楽譜閲覧モードかを判定する。ここで、楽譜追従モードとは、楽譜に応じた演奏の進行に応じて対応する楽譜の表示が自動的に更新されるモードに相当する。なお、楽譜表示の更新については後述する。また、楽譜閲覧モードとは、楽譜を閲覧するためのモードで、楽譜における反復記号を展開しない楽譜自体に応じた時間軸を表示するモードであるが、詳細には後述する。なお、モード判定部３０４は、例えば、ユーザの選択指示に基づいて、楽譜追従モードか、楽譜閲覧モードかを、判定するように構成する。
【００２０】
表示制御部３０５は、モード判定部３０４が楽譜追従モードと判定した場合には、表示部１０１に第１の時間軸情報を表示させ、楽譜閲覧モードと判定した場合には第２の時間軸情報を表示させる。なお、表示制御部３０５は、ユーザの指定に応じた所定のマークを第１または第２の時間軸情報上に表示させるがこれについては後述する。なお、モード判定部３０４の判定結果にかかわらず、ユーザの選択指示に応じて、第１の時間軸情報または第２の時間軸情報を表示させるように構成してもよい。
【００２１】
表示単位情報取得部３０６は、表示部１０１に表示する楽譜の表示単位、例えば、１ページ単位、２ページ単位等、を表す表示単位情報を取得する。なお、表示単位は、例えば、楽譜の１ページの一部を拡大して表示するような場合には、半ページ等であってもよい。
【００２２】
楽譜表示制御部３０７は、表示単位情報取得部３０６が取得した表示単位情報に基づいて、楽譜データが表す楽譜を表示する。具体的には、一例として、表示単位が２ページ単位である場合の楽譜の１ページ目と２ページ目が表示部１０１に表示された様子を図４に示す。また、楽譜表示制御部３０７は、楽譜追従モードの場合には、表示単位情報に応じて、現在の演奏位置を含む楽譜の一部が表示されるように制御する。具体的には、例えば、上記のように、表示単位が２ページ単位である場合、３ページ目の一部が演奏されている場合には、３ページ目と４ページ目の楽譜を表示する等である。このようにして、楽譜に応じた演奏の進行に応じて対応する楽譜の表示が自動的に更新される。
【００２３】
指定位置情報取得部３０８は、ユーザにより指定された楽譜上の位置を表す指定位置情報を取得する。また、指定位置情報表示部３０９は、当該指定された位置を示す指定位置識別情報を楽譜上に表示する。具体的には、例えば、図４に示すように、ユーザが、操作部２０３を用いて、楽譜上の所望の位置（フラグ４０１及び４０２で表される２の位置）を指定すると、指定位置情報取得部３０８は、当該指定に応じた位置を表す指定位置情報を取得する。そして、指定位置情報表示部１０１は、当該指定された位置を示す指定位置識別情報として、フラグ４０１及び４０２を表示する。なお、図４に示す指定位置識別情報の表示は、例示であって、指定位置識別情報の形状等はこれに限定されるものではない。また、図４に示すように、ユーザが複数の位置を指定できるように構成してもよいし、当該複数の位置が指定された場合には、当該複数の位置を表す各指定位置識別情報が、それぞれ異なる色により識別表示されるように構成してもよい。
【００２４】
マーク位置情報取得部３１０は、指定位置情報取得部３０８が取得した指定位置情報に基づいて、第１の時間軸情報及び第２の時間軸情報における楽譜上の位置に対応する位置情報を表すマーク位置情報を取得する。ここで、例えば、楽譜に繰り返し記号が含まれている場合には、上記のように、第１の時間軸情報においては、楽譜における反復部分が展開されることから、反復回数分のマーク位置情報が取得され、後述するように表示制御部３０５により当該マーク位置情報が示す位置に反復回数に応じた複数の所定のマークが表示される。具体的には、例えば、図４においては、１回の反復を表す反復記号（リピート）で表される反復部分に含まれる所定の位置（フラグ４０１及び４０２で表される２の位置）が指定されていることから、第１の時間軸情報においてはそれぞれ２のマーク４０４乃至４０６が表示される。一方、第２の時間軸情報においては、反復部分が展開されないことから、表示制御部３０５により第２の時間軸情報におけるフラグ４０１、４０２の対応する位置にマーク５０１、５０２が表示される。
【００２５】
なお、当該マーク４０４乃至４０６、５０１、５０２は、フラグ４０１及び４０２と同じマークとしてもよい。また、１のフラグ４０１に対して、２のマーク４０４及び４０５が第１の時間軸情報に表示されるような場合には、１回目に演奏される部分に含まれるマーク４０４と、２回目に演奏される部分に含まれるマーク４０５を識別して表示するように構成してよい。
【００２６】
表示制御部３０５は、上記のように、モード判定部３０４の判定結果に応じて、第１の時間軸情報または第２の時間軸情報における当該マーク位置情報の表す位置に所定のマークを表示する。
【００２７】
演奏データ取得部３１１は、演奏データを取得する。ここで、演奏データとは、ユーザの楽器等の演奏に基づくデータであって、例えば、楽器の演奏に基づく楽音データ等に相当する。また、例えば、楽器が電子ピアノ等の電子楽器である場合には、各楽音を表す楽音情報に相当するように構成してもよい。
【００２８】
演奏位置情報取得部３１２は、取得された演奏データに基づいて、第１の時間軸情報における現在の演奏位置を表す演奏位置情報を取得する。具体的には、例えば、演奏位置情報取得部３１２は、取得された演奏データを解析して、楽曲データにおける現在の演奏位置を特定する。そして、当該楽曲データにおける演奏位置に基づいて第１の時間軸情報における対応する現在の演奏位置を特定することにより、第１の時間軸情報における現在の演奏位置を表す演奏位置情報を取得する。
【００２９】
演奏位置識別情報表示部３１３は、第１の時間軸情報上に、演奏位置情報取得部３１２が取得した演奏位置情報が表す位置に演奏位置識別情報を表示する。具体的には、例えば、図４に示すように、現在の演奏位置を表す演奏位置識別情報４０７を表示する。なお、図４に示す演奏位置識別情報４０７は一例であって、本実施の形態はこれに限定されるものではなく、その他の形状、サイズ等であってもよい。
【００３０】
閲覧位置情報取得部３１４は、現在の閲覧位置を表す閲覧位置情報を取得する。具体的には、閲覧位置情報取得部３１４は、現在表示部１０１に表示されている楽譜データに基づいて、閲覧位置情報を取得する。具体的には、例えば、表示部１０１への表示単位が見開き２ページであって、１ページ目及び２ページ目が表示されている場合、閲覧位置情報は楽譜データにおける１ページ目から２ページ目を表す閲覧位置情報を取得する。
【００３１】
閲覧位置識別情報表示部３１５は、第２の時間軸情報に、閲覧位置情報取得部３１４が取得した閲覧位置情報に応じた位置に閲覧位置識別情報を表示する。具体的には、例えば、図５に示す場合、楽譜の１ページ目と２ページ目が表示されているので、第２の時間軸情報上に楽譜データにおける１ページ目から２ページ目に相当する位置に閲覧位置識別情報５０３を表示する。なお、図５に示す閲覧位置識別情報の形状やサイズ等は例示であって、その他の形状やサイズ等であってもよい。
【００３２】
次に、図６を用いて、本実施の形態における第１または第２の時間軸情報にマーク位置情報を表示する際における処理のフローについて説明する。
【００３３】
図６に示すように、まず、データ取得部３０１は、楽譜データ等を取得する（Ｓ１０１）。第１の時間軸情報生成部３０２は、楽曲データに基づいて、第１の時間軸情報を生成する（Ｓ１０２）。第２の時間軸情報生成部３０３は、楽譜データに基づいて、第２の時間軸情報を生成する（Ｓ１０３）。モード判定部３０４は、楽譜追従モードか、楽譜閲覧モードかを判定する（Ｓ１０４）。なお、Ｓ１０４においては、楽譜追従モードでないと判定した場合を楽譜閲覧モードとして示すが、楽譜追従モードか、楽譜閲覧モードかを個別に判定するように構成してもよい。
【００３４】
表示制御部３０５は、楽譜追従モードと判定した場合には、第１の時間軸情報を表示する（Ｓ１０５）。楽譜表示制御部３０７は、楽譜データに基づいて楽譜を表示する（Ｓ１０６）。指定位置情報取得部３０８は、ユーザにより指定された楽譜上の指定位置情報を取得する（Ｓ１０７）。指定位置情報表示部３０９は、当該指定された位置を示す指定位置識別情報を表示部１０１に表示されている楽譜上に表示する（Ｓ１０８）。マーク位置情報取得部３１０は、Ｓ１０７で取得された位置情報に基づいて、第１の時間軸情報における楽譜上の指定位置情報に対応する位置を表すマーク位置情報を取得する（Ｓ１０９）。表示制御部３０５は、第１の時間軸情報における当該マーク位置情報の表す位置に所定のマークを表示する（Ｓ１１０）。そして、Ｓ１０４に戻る。
【００３５】
一方、モード判定部３０４が、楽譜閲覧モードと判定した場合には、表示制御部３０５は、第２の時間軸情報を表示する（Ｓ１１１）。表示制御部３０５は、楽譜データに基づいて楽譜を表示する（Ｓ１１２）。指定位置情報取得部３０８は、ユーザにより指定された楽譜上の指定位置情報を取得する（Ｓ１１３）。指定位置情報表示部３０９は、当該指定された位置を示す指定位置識別情報を楽譜上に表示する（Ｓ１１４）マーク位置情報取得部３１０は、Ｓ１１３で取得された指定位置情報に基づいて、第２の時間軸情報における楽譜上の指定位置情報に対応する位置情報を表すマーク位置情報を取得する（Ｓ１１５）。表示制御部３０５は、第２の時間軸情報における当該マーク位置情報の表す位置に所定のマークを表示する（Ｓ１１６）。そして、Ｓ１０４に戻る。
【００３６】
本発明は、上記実施の形態に限定されるものではなく、上記実施の形態で示した構成と実質的に同一の構成、同一の作用効果を奏する構成又は同一の目的を達成することができる構成で置き換えてもよい。
【００３７】
例えば、上記図６に示すフローにおいては、第１の時間軸情報が生成された後に、第２の時間軸情報が生成される場合を例として説明したが、異なる順序でまたは同時に生成するように構成してもよい。また、楽譜追従モードか楽譜閲覧モードかを判定した後に、第１または第２の時間軸情報を生成し、楽譜追従モードか楽譜閲覧モードかに応じて、第１または第２の時間軸情報が表示されるように構成してもよい。
【００３８】
また、上記においては、主に、楽譜追従モードか楽譜閲覧モードかにより、第１の時間軸情報または第２の時間軸情報が表示される場合について説明したが、楽譜追従モードか楽譜閲覧モードかにかかわらず、ユーザの指示に応じて、表示制御部３０５が、第１の時間軸情報または第２の時間軸情報を表示するように構成してもよいし、ユーザの指示に応じて第１の時間軸情報及び第２の時間軸情報を表示するように構成してもよい。
【符号の説明】
【００３９】
楽譜表示装置  １００、表示部  １０１、制御部  ２０１、記憶部  ２０２、操作部  ２０３、通信部  ２０４、データ取得部  ３０１、第１の時間軸情報生成部  ３０２、第２の時間軸情報生成部  ３０３、モード判定部  ３０４、表示制御部  ３０５、表示単位情報取得部  ３０６、楽譜表示制御部  ３０７、指定位置情報取得部  ３０８、指定位置情報表示部  ３０９、マーク位置情報取得部  ３１０、演奏データ取得部  ３１１、演奏位置情報取得部  ３１２、演奏位置識別情報表示部  ３１３、閲覧位置情報取得部  ３１４、閲覧位置識別情報表示部３１５。
【図１】
2017181726.tif 000003
【図２】
2017181726.tif 000004
【図３】
2017181726.tif 000005
【図４】
2017181726.tif 000006
【図５】
2017181726.tif 000007
【図６】
2017181726.tif 000008